(57)【要約】【課題】  ＲＣコンクリート建物の外断熱工法に関して、隣家との隙間が少ない状態でも建築可能な、外壁に石材を施工した外断熱工法を提供する事を課題とする。【解決手段】  建物外側の仮枠を構築する際、横方向に略柄杓形をした石受止鋼材を等間隔で配置すると共に、石受止鋼材の室内側縦方向にＺ形鋼材と軽みぞ形鋼材を貼り合せた外仮枠固定鋼材を固定し、石受止鋼材の室外側に外壁石材を固定し、外仮枠固定鋼材の室内側折曲面に開けられた取付穴にセパレーターを挿入し、ナットで外仮枠固定鋼材とセパレーターを固定し、隣合う外仮枠固定鋼材の間の空間に発泡ウレタンを施工する。【選択図】図１
2014051873.tif 000002
【特許請求の範囲】
【請求項１】
鉄筋コンクリートの外壁を構築するための仮枠において、室外側に、略柄杓形をした石受止鋼材を上下等間隔で横方向に配置し、石受止鋼材の室内側には、Ｚ形鋼材と軽みぞ形鋼材を貼り合せた外仮枠固定鋼材を左右等間隔で縦方向に固定し、石受止鋼材の室外側には外壁石材を固定し、外仮枠固定鋼材の室内側折曲面に開けられたセパレーター取付穴にセパレーターを挿入し、ナットで外仮枠固定鋼材とセパレーターを固定し、さらに隣合う外仮枠固定鋼材の間の空間に発泡ウレタンを施工すると共に、室内側仮枠を堰板と根太と単管パイプで構成し、建物の外側に施工した石貼り外断熱仮枠と内側に施工した室内側仮枠をセパレーターとＰコンとフォームタイで固定した事を特徴とする隣地空無し外断熱石貼りＲＣ−ロイヤル。
【請求項２】
外壁石材の、上部切断面と下部切断面に複数の欠込部を設けると共に、三角形状の鋼板の端をＬ字型に折曲げた２枚の鋼板を、背中合わせに重ねて接合し、Ｌ字型に折曲げた一方の鋼板の三角形状部分を９０度折り曲げた石材固定金具を外壁石材の欠込部に挿入し、石材固定金具を石受止鋼材に対して折り曲げ固定した事を特徴とする請求項１に記載の隣地空無し外断熱石貼りＲＣ−ロイヤル。
【発明の詳細な説明】
【技術分野】
【０００１】  この発明は、建物外壁に石材を使用したＲＣコンクリート建物の外断熱工法に関するものである。
【背景技術】
【０００２】  従来から、ＲＣコンクリート建物の建築工法の一つとして、外壁面に断熱材を施工する外断熱工法がある。建物躯体の外壁に断熱材を施工するため、建物の内部の蓄熱性が高まると共に、年間を通じて室内の温度変動が少なくなり、冷暖房等のエネルギーの消費を抑制し、省エネに貢献している。【０００３】  さらに、外断熱工法は、内断熱工法で問題となっている内部結露の発生を防止し、カビの発生を抑制し、冷暖房の熱効率が高くなる利点がある。さらに建物の躯体（コンクリート）が直接外気と接しないため、真夏の暑い太陽熱や、冬の冷害による建物躯体への悪影響を大幅に減少させ、建物躯体の耐久性が向上すると言った利点がある。【０００４】  しかしながら、このような外断熱工法で、ＲＣコンクリート建物を構築しようとした場合、これまでは、躯体コンクリートを構築後、躯体コンクリートの外壁面に断熱材を接着（固定）して、その断熱材の上に耐火材をアンカー等で躯体コンクリートに固定する方法や、ガラス繊維を躯体コンクリートの外壁面にアンカーで固定して、そのガラス繊維の上に耐火モルタル等を施工する方法が行われてきた。【０００５】  このように、何れの外断熱方法にしても、建築中の建物の外側で人手により断熱材を施工する作業を行う必要があるため、建物の外側に足場を設置しなければならず、都市部の建物が密集した狭小地では、土地の有効利用と云う観点から考えて、実質的には外断熱工法でＲＣコンクリート建物を建築することは不可能であった。
【先行技術文献】
【特許文献】
【０００６】  下記の２件の特許文献においても、いずれもＲＣコンクリート建物の躯体コンクリートを構築後、躯体コンクリートの外壁面に断熱材を接着剤で張り付け、その断熱材に貼り付けたガラス繊維ネット等をアンカー等で躯体コンクリートに固定したり、又は外断熱用断熱パネルをアンカー等で直接躯体コンクリートに固定している。
【特許文献１】特開２００３−１３５８３
【特許文献２】特開２０１０−１７４５０１
【０００７】  このように、何れの外断熱工法においても、ＲＣコンクリート建物の躯体コンクリートを構築後、躯体コンクリートの外壁面に断熱材を施工するため、建物の外側に足場構築用の空間を約４０ｃｍ以上開けなければならず、東京都心のような土地の価格が高く、狭小地にＲＣコンクリート建物を建築しようとした場合、土地の有効利用の妨げとなっていた。【０００８】  さらに、都心の人が多く集まる繁華街や商店街等の場所で、お客様を集客するためには建物の美観が重要な要素となるため、外壁に天然石材を使用した建物が数多く見受けられるが、このような外壁に天然石材を施工したＲＣコンクリート建物においては、躯体コンクリートを構築した後、建物の外側に設けた足場でタイル屋さんが天然石材を外壁面に施工しなければならず、隣の建物との間に足場を構築するため約４０ｃｍ以上の空間が必要であった。
【発明の概要】
【発明が解決しようとする課題】
【０００９】  本発明は、このような、従来の欠点に鑑みて、室外側仮枠を石材と断熱材で構成する事により、隣家との隙間が狭い場合でも、外断熱工法でＲＣコンクリート建物を建築する事を可能とし、従来、建物の外側に構築していた足場が不要となるため土地を最大限活用できると共に、工期の短縮と、安価に施工できる外断熱石貼り工法を提供する事を主な課題とする。
【課題を解決するための手段】
【００１０】  かかる課題を解決するため、請求項１に記載の発明は、鉄筋コンクリートの外壁を構築するための仮枠において、室外側に、略柄杓形をした石受止鋼材を上下等間隔で横方向に配置し、石受止鋼材の室内側には、Ｚ形鋼材と軽みぞ形鋼材を貼り合せた外仮枠固定鋼材を左右等間隔で縦方向に固定し、石受止鋼材の室外側には外壁石材を固定し、外仮枠固定鋼材の室内側折曲面に開けられたセパレーター取付穴にセパレーターを挿入し、ナットで外仮枠固定鋼材とセパレーターを固定し、さらに隣合う外仮枠固定鋼材の間の空間に発泡ウレタンを施工すると共に、室内側仮枠を堰板と根太と単管パイプで構成し、建物の外側に施工した石貼り外断熱仮枠と内側に施工した室内側仮枠をセパレーターとＰコンとフォームタイで固定した事を特徴とする。【００１１】  請求項２に記載の発明は、請求項１に記載の構成に加え、外壁石材の、上部切断面と下部切断面に複数の欠込部を設けると共に、三角形状の鋼板の端をＬ字型に折曲げた２枚の鋼板を、背中合わせに重ねて接合し、Ｌ字型に折曲げた一方の鋼板の三角形状部分を９０度折り曲げた石材固定金具を外壁石材の欠込部に挿入し、石材固定金具を石受止鋼材に対して折り曲げ固定した事を特徴とする。
【発明の効果】
【００１２】  請求項１に記載の発明によれば、鉄筋コンクリートの外壁を構築するための仮枠において、室外側に、略柄杓形をした石受止鋼材を上下等間隔で横方向に配置し、石受止鋼材の室内側には、Ｚ形鋼材と軽みぞ形鋼材を貼り合せた外仮枠固定鋼材を左右等間隔で縦方向に固定し、石受止鋼材の室外側には外壁石材を固定し、外仮枠固定鋼材の室内側折曲面に開けられたセパレーター取付穴にセパレーターを挿入し、ナットで外仮枠固定鋼材とセパレーターを固定し、さらに隣合う外仮枠固定鋼材の間の空間に発泡ウレタンを施工すると共に、室内側仮枠を堰板と根太と単管パイプで構成し、建物の外側に施工した石貼り外断熱仮枠と内側に施工した室内側仮枠をセパレーターとＰコンとフォームタイで固定した事により、従来は、コンクリートの躯体が完成した後、作業員が建物の外側に設置した足場に上ってコンクリートの躯体に断熱材を施工していたが、本発明によれば、あらかじめコンクリートの躯体の外壁に該当する仮枠に、断熱材と外壁石材を組込み、生コンクリート打ち込み後には、建物外側の仮枠が、そのまま外壁となる事を可能としたため、隣家との間に足場を設置する必要が無くなり、都会の狭い敷地でも土地を有効に活用する事が可能となるばかりでなく、断熱材に、現場施工する発泡ウレタンを採用した事により、さらに断熱効果を高める事が可能となった。【００１３】  請求項２に記載の発明によれば、外壁石材の、上部切断面と下部切断面に複数の欠込部を設けると共に、三角形状の鋼板の端をＬ字型に折曲げた２枚の鋼板を、背中合わせに重ねて接合し、Ｌ字型に折曲げた一方の鋼板の三角形状部分を９０度折り曲げた石材固定金具を外壁石材の欠込部に挿入し、石材固定金具を石受止鋼材に対して折り曲げ固定した事により、簡単な構造で石材を石受止鋼材に固定する事が可能となった。
【実施例１】
【００１４】  以下、この発明の実施の形態について説明する。
［発明の実施の形態］【００１５】  図１及至図９は、この発明の実施の形態を示す。【００１６】  図１は、石貼り外断熱仮枠１と室内側仮枠６の各々部材を組立てた状態を斜視図で示す。建物外側に位置する外壁石材１２が石受止鋼材１１に固定される共に、石受止鋼材１１は外仮枠固定部材３に固定され、建物外側の石貼り外断熱仮枠１を形成する。石貼り外断熱仮枠１は外仮枠固定部材３に取付けられたセパレーター５により、室内側仮枠６に固定される。なお、室内側仮枠６には、一般的な型枠で用いられている工法と同様な工法を採用し、コンクリート壁面側は、堰板７と、その堰板７を補強するための根太１３で構成され、その根太１３に対して単管パイプ９が配置され、単管パイプ９に取付けられたフォームタイ８が外仮枠固定部材３に取付けられたセパレーター５に結合され、室内側仮枠６を構成する。【００１７】  図２は、図１で説明した石貼り外断熱仮枠１を構成する各々部材を分解して斜視図で示す。石貼り外断熱仮枠１は縦が約４０ｃｍ、横が約４０ｃｍ、厚さが約１５ｍｍの外壁石材１２と、鋼板を柄杓形に折り曲げ外仮枠固定鋼材３をボルト２６とナット２で固定するための穴２９が開けられた石受止鋼材１１と、外仮枠固定鋼材３で構成され、さらに外仮枠固定鋼材３は、拡大図▲１▼で示すように、略Ｚ形の形状をしたＺ形鋼材２１と、略Ｃ形の形状をした軽みぞ形鋼材２０の、接合面１９と接合面２４をＺ形鋼材２１に接合して溶接する事により、拡大図▲２▼に示すようなユの字形の外仮枠固定鋼材３が構成され、固定面２２と固定面２３が横並びで同一面となる。なお、通り線Ａ、通り線Ｄ、通り線Ｅ、通り線Ｆは、外壁石材１２と石受止鋼材１１と外仮枠固定鋼材３が、どのような位置関係で組み立てられるのかを分かりやすく説明するため一点鎖線で示した。通り線Ｂ、通り線Ｃは、石受止鋼材１１の穴２９と外仮枠固定鋼材３の穴１０が、ボルト２６とナット２に対してどのような位置関係になるのかを分かりやすく説明するため一点鎖線で示す。【００１８】  図３は、図２で説明した石受止鋼材１１と外仮枠固定鋼材３を組み付け、ボルト２６とナット２で固定した状態を斜視図で示す。図２で説明した、石受止鋼材１１の石受止鋼材側面３０に外仮枠固定鋼材３の固定面２２、固定面２３が当接し、石受止鋼材１１の穴２９と外仮枠固定鋼材３の穴１０にボルト２６が挿入されナット２で固定される。なお、通り線Ｇ、通り線Ｈ、通り線Ｉ、通り線Ｊは、外壁石材１２と石受止鋼材１１と外仮枠固定鋼材３が、どのような位置関係にあるのかを分かりやすく説明するため一点鎖線で示す。【００１９】  図４は、図３で説明した外壁石材１２と石受止鋼材１１と外仮枠固定鋼材３を結合した状態を斜視図で示す。なお、外壁石材１２と石受止鋼材１１の接合方法に関しては、図５と図６で詳細に説明する。【００２０】  図５は、上下２枚の外壁石材１２と、その外壁石材１２を石受止鋼材１１に固定するための石材固定金具３７を斜視図で示す。外壁石材１２の上部切断面４４の左右２箇所に、石削込用の丸のこぎりで半円形状の上部欠込部３５を切断面の中心線上に形成すると共に、上部欠込部３５の室内側に、石材固定金具３７の接合部３９の鋼板の厚さと同じ厚さ（約０．６ｍｍ）の固定金具欠込部４２を、接合部３９の幅より少し大きく凹状に欠込むように形成する。さらに外壁石材１２の下部切断面４５の左右２箇所に、上部欠込部３５に相対する位置に石削込用の丸のこぎりで半円形状の下部欠込部３６を形成する。このように構成された外壁石材１２を上下に配置して結合するため、拡大図▲２▼で示すように、厚さ約０．３ｍｍの鋼板で、長さ約１０ｍｍ、長方向約１５ｍｍ、短方向約５ｍｍに切断した三角形状の長手方向の端を、約５ｍｍＬ字形に９０度折り曲げた鋼板を、２枚を背中合わせてＴ形状になるように形成し、組込部３８に近い接合部３９を溶接し、２枚がＴ形形状で一体になるように形成し、一方の折り曲げた三角形状の鋼板の上面に、図２説明した石受止鋼材上面２８の幅と同じ幅で、正確に三角形状の鋼板を折り曲げるため、鋼板の表面に少し深めの折曲線（ケガキ線）４１を入れると共に、他方の三角形状の鋼板には、石材固定金具３７と石受止鋼材１１を工事現場で簡単に位置合わせして結合できるように、図２説明した石受止鋼材上面２８の幅と同じ幅（約３０ｍｍ）の間隔をもたせて９０度曲げ、９０度折曲部４０を形成し、上下に配置された外壁石材１２を結合する際、下部に配置する外壁石材１２の上部切断面４４に形成した上部欠込部３５に石材固定金具３７の組込部３８を挿入し、上部の外壁石材１２の下部欠込部３６を、下部の外壁石材１２の上部欠込部３５に合わせて結合する事により、石材固定金具３７が上部欠込部３５と下部欠込部３６の間に挿入されると共に、このように外壁石材１２に取付けられたと石材固定金具３７に合わせ、図６で示すように、石材固定金具３７から延びる通り線Ｌと通り線Ｋの線上に、石受止鋼材１１の石受止鋼材上面２８を配置し、図７で示すように、石受止鋼材上面２８を石材固定金具３７の下部に配置して、折曲固定部４３を石受止鋼材上面２８の幅に合わせて折り曲げる事により、外壁石材１２は石受止鋼材１１に固定される。【００２１】  なお、上下の外壁石材１２の間の上部欠込部３５と下部欠込部３６の間に石材固定金具３７を挿入して上下の外壁石材１２を固定する際に、下部欠込部３６に形成さけた凹状の固定金具欠込部３５に石材固定金具３７の接合部３９を挿入する事により、石材固定金具３７の接合部３９が壁石材１２の上部切断面と同一面となり、上下に壁石材１２を積み重ねた際、上下の壁石材１２の間の隙間を無くなす事が可能となり、外観状でも美観にする事が可能となった。【００２２】  図８は、図１で説明した石貼り外断熱仮枠１と室内側仮枠６の断面図を平面図で示す。拡大図で示すように、外壁石材１２と石受止鋼材１１が石材固定金具３７で固定され、石受止鋼材１１に取付けられた外仮枠固定部材３がセパレーター５を介して室内側仮枠６に固定され、さらに外壁石材１２の室内側の石面と石受止鋼材１１と外仮枠固定部材３に現場施工の発泡ウレタン５１を吹き付ける事により、簡単な施工方法で隙間なく発泡ウレタン５１を躯体コンクリートの外側に施工する事が可能となった。【００２３】  このように構成された仮枠の生コンクリート打込部５２に生コンクリートを打ち込む事により、本発明の隣地空無し外断熱石貼りＲＣ−ロイヤルが形成される。【００２４】  図９ａは、図８で説明した本発明の隣地空無し外断熱石貼りＲＣ−ロイヤルの各々部材を分解し、側面図で示す。図９ｂは、図９ａの各々部材を結合した側面図を示す。【００２５】  このように室外側仮枠（石貼り外断熱仮枠１）に外壁石材１２と断熱材（発泡ウレタン５１）を施工し、仮枠に生コンクリートを打設した後は、室外側仮枠（石貼り外断熱仮枠１）が、そのまま外壁となるように構成したため、隣家との間に足場を設置する必要が無くなり、都会の狭い敷地でも土地を有効に活用する事が可能となるばかりでなく、断熱材に、現場施工する発泡ウレタンを採用した事により、従来、外壁コンクリートの外側に固定していた断熱材に比べ、いっそう断熱効果を高める事が可能となった。【００２６】  以上の実施の形態に基づいて、本発明に係る隣地空無し外断熱石貼りＲＣ−ロイヤルについて詳細に説明してきたが、本発明は、以上の実施の形態に限定されるものではなく、発明の趣旨を逸脱しない範囲において各種の改変をなしても、本発明の技術的範囲に属するのはもちろんである。【００２７】  図２において、石受止鋼材１１を略柄杓形をした、と形容したが。柄杓形にした理由は、外仮枠固定鋼材３と石受止鋼材１１をボルトとナットで固定する際、ボルトを石受止鋼材１１の穴２９に挿入しやすくするためであり、石受止鋼材１１の形状は柄杓形に拘らず、Ｃの字形等の鋼材を使うことは、もちろん可能である。【００２８】  図２において、Ｚ形鋼材２１と軽みぞ形鋼材２０を組み合わせて、外仮枠固定鋼材３を構成させると説明したが、本発明の外断熱石貼りＲＣ−ロイヤルが広く利用されるようになった場合には、外仮枠固定鋼材３を一体鋼材で製造する事は、もちろん可能である。【００２９】  図２において、外仮枠固定鋼材３は軽みぞ形鋼材２０とＺ形鋼材２０で構成されると説明したが。外仮枠固定鋼材３の形状を説明するため、便宜上、形状が良く似ている軽みぞ形鋼とＺ形鋼の名称を使用したのであり、正しくは拡大図▲１▼で示すように、軽みぞ形鋼材２０は両端が折れ曲がったＣ形の形状で作られ、Ｚ形鋼材２０は両端が逆向きに折り曲げられた略Ｚ形の形状で構成される。【００３０】  図５において、石材固定金具３７は、三角形状の鋼板の端をＬ字型に折曲げた２枚の鋼板を、背中合わせに重ねて接合しているが、形状については三角形状に拘らず、台形、長方形等の形状の鋼板を用いることも、もちろん可能である。
【図面の簡単な説明】
【００３１】
【図１】石貼り外断熱仮枠と室内側仮枠の各々部材を組立てた状態を斜視図で示す。
【図２】石貼り外断熱仮枠を構成する各々部材を分解図で表し、斜視図で示す。
【図３】図２で示した、石貼り外断熱仮枠の外壁石材以外を組立てた状態を斜視図で示す。
【図４】石貼り外断熱仮枠を組立てた状態を斜視図で示す。
【図５】外壁石材と、それを石貼り外断熱仮枠に固定するための石材固定金具を斜視図で示す。
【図６】外壁石材に石材固定金具を取付けた状態と、石受止鋼材と石材固定金具を接合する前の取り合い関係を斜視図で示す。
【図７】図６で説明した石受止鋼材に外壁石材を固定した状態を示す。
【図８】石貼り外断熱仮枠と室内側仮枠の各々部材を組立てた状態を、平面図で示す。
【図９】石貼り外断熱仮枠と室内側仮枠の各々部材を組立てた状態を、側面図で示す。
【符号の説明】
【００３２】Ａ              通り線
Ｂ              通り線
Ｃ              通り線
Ｄ              通り線
Ｅ              通り線
Ｆ              通り線
Ｇ              通り線
Ｈ              通り線
Ｉ              通り線
Ｊ              通り線
Ｋ              通り線
Ｌ              通り線
Ｍ              通り線
Ｎ              通り線
１              石貼り外断熱仮枠
２              ナット
３              外仮枠固定鋼材
４              ナット
５              セパレーター
６              室内側仮枠
７              堰板
８              フォームタイ
９              単管パイプ
１０            穴
１１            石受止鋼材
１２            外壁石材
１３            根太
１９            接合面
２０            軽みぞ形鋼材
２１            Ｚ形鋼材
２２            固定面
２３            固定面
２４            接合面
２５            室内側折曲面
２６            ボルト
２７            セパレーター取付穴
２８            石受止鋼材上面
２９            穴
３０            石受止鋼材側面
３１            Ｐコン
３５            上部欠込部
３６            下部欠込部
３７            石材固定金具
３８            組込部
３９            接合部
４０            ９０度折曲部
４１            折曲線（ケガキ線）
４２            固定金具欠込部
４３            折曲固定部
５０            ナット
５１            発泡ウレタン
５２            生コンクリート打込部
【図１】
2014051873.tif 000003
【図２】
2014051873.tif 000004
【図３】
2014051873.tif 000005
【図４】
2014051873.tif 000006
【図５】
2014051873.tif 000007
【図６】
2014051873.tif 000008
【図７】
2014051873.tif 000009
【図８】
2014051873.tif 000010
【図９】
2014051873.tif 000011